(57)【要約】【目的】製造工程上の不都合を惹起することなく、飲料容器頂壁にリップを接合することができ、消費者が直接に口に触れるリップを、衛生上、清潔に維持でき、プルタブとリップとの間隙にゴミなどが入り込むことを防止し、消費者が飲用時にリップの存在を知ることができる飲料用包装容器の製造方法及び飲料用包装容器を提供することを目的とする。【構成】プルタブで覆われ且つ内側フィルムで保護された飲み口を頂壁に有し且つ該頂壁の外縁と該飲み口の一縁との間に設けられるリップを有する飲料用包装容器であって、透明フィルムからなり、透明フィルムの内側面の凹部に全体的に嵌め込まれたリップを有するプルタブを用い、容器の飲み口の上面に、そのプルタブを配置して、リップとプルタブとを容器に接合するように構成したものである【選択図】　　　　図１
2004058595.tif 000002
【特許請求の範囲】
【請求項１】
プルタブで覆われ且つ内側フィルムで保護された飲み口を頂壁に有し且つ該頂壁の外縁と該飲み口の一縁との間に設けられるリップを有する飲料用包装容器の製造方法であって、
ウェブ状包装材料を包装充填機内で、チューブ状に成形して縦シールし、該チューブ状包装材料内に飲料内容物を充填して横断方向に横シールし、該横シール部分を切断して内側フィルムで保護された飲み口を頂壁に有する容器に得る包装充填工程、
透明フィルムからなり、該透明フィルムの内側面の凹部に全体的に嵌め込まれた該リップを有する該プルタブを準備する工程及び、
前記包装充填工程で得られた容器の飲み口の上面に前工程で準備したプルタブを配置して、該リップ及びプルタブを容器に接合する工程
を含むことを特徴とする飲料用包装容器の製造方法。
【請求項２】
プルタブで覆われ且つ内側フィルムで保護された飲み口を頂壁に有し且つ該頂壁の外縁と該飲み口の一縁との間に設けられるリップを有する飲料用包装容器であって、
該包装容器が、ウェブ状包装材料を包装充填機内で、チューブ状に成形して縦シールし、該チューブ状包装材料内に飲料内容物を充填して横断方向に横シールし、該横シール部分を切断して得られ、
該プルタブが、透明フィルムからなり、該透明フィルムの内側面の凹部に全体的に嵌め込まれた該リップを有し、
前記包装容器の飲み口の上面及び近傍に該リップ及びプルタブが接合されている
ことを特徴とする飲料用包装容器。
【発明の詳細な説明】
【０００１】
【発明の属する技術分野】
本発明は、プルタブで覆われ且つ内側フィルムで保護された飲み口を頂壁に有し、また頂壁の外縁と飲み口の一縁との間にリップを有する飲料用包装容器の製造方法及び飲料用包装容器に関する。
【０００２】
【従来の技術】
飲料容器頂壁にプルタブで覆われかつ内側フィルムで保護された飲み口を有する包装容器は、例えば、特開２００１ー０５８６４７号公報に記載されたものが知られている。図５に示すその容器１と開封装置の構造では、飲料容器の頂壁に設けられた飲み口４と、その飲み口を覆うプルタブ５と、飲み口を内側から保護する内側フイルム（図示せず）とが構成されている。
飲料容器頂壁にリップが設けられ、飲み口を覆うプルタブを開封する包装容器は、例えば、国際公開　ＷＯ　００／４８９１４号公報に記載されたものが知られている。図４に示すその容器の構造では、飲料容器の頂壁に設けられたリップ３、飲み口４を覆うプルタブ５が構成されている。
【０００３】
【発明が解決しようとする課題】
飲料容器頂壁にプルタブで覆われかつ内側フィルムで保護された飲み口を有する包装容器は、ウェブ状包装材料を包装充填機内で、チューブ状に成形して縦シールし、そのチューブ状包装材料内に飲料内容物を充填して横断方向に横シールし、横シール部分を切断して得られる。
しかしながら、包装充填機内で、飲料容器頂壁に対応する包装材料部分にリップを接合することは、平坦な包装材料の上に突起状物を設けることとなり、包装充填工程上の不都合を惹起する。
内側フィルムで保護された飲み口を覆うプルタブは、通常、アルミ箔を含む積層フィルム若しくは紙を主体とした紙積層体でであり、不透明である。これらのプルタブは、飲み口を覆うことを念頭に置かれている為に、飲み口に隣接するリップの一部を覆っている、若しくは全く覆っていない。もしも、リップ全体を不透明なプルタブで覆うと消費者にリップが認識されない為でもある。
飲料容器頂壁に設けられたリップは、消費者が直接に口に触れる箇所で有り、衛生上、清潔でなくてはならない。しかしながら、万が一に、プルタブとリップとの間隙に、ゴミやチリなどが入り込んだ場合、好ましくはない。更に、消費者が飲用時にリップの存在を知る必要が有る。
本発明は、製造工程上の不都合を惹起することなく、飲料容器頂壁にリップを接合することができ、消費者が直接に口に触れるリップを、衛生上、清潔に維持でき、プルタブとリップとの間隙にゴミなどが入り込むことを防止し、消費者が飲用時にリップの存在を知ることができる飲料用包装容器の製造方法及び飲料用包装容器を提供することを目的とする。
【０００４】
【課題を解決するための手段】
この課題を解決する本発明の飲料用包装容器の製造方法及び飲料用包装容器は、透明フィルムからなり、透明フィルムの内側面の凹部に全体的に嵌め込まれたリップを有するプルタブを用い、容器の飲み口の上面に、そのプルタブを配置して、リップとプルタブとを容器に接合するように構成したものである。
これにより、製造工程上の不都合を惹起することなく、飲料容器頂壁にリップを接合することができ、消費者が直接に口に触れるリップを、衛生上、清潔に維持でき、プルタブとリップとの間隙にゴミなどが入り込むことを防止し、消費者が飲用時にリップの存在を知ることができる飲料用包装容器が得られる。
【０００５】
【発明の実施の形態】
本発明の請求項１に記載の発明は、プルタブで覆われ且つ内側フィルムで保護された飲み口を頂壁に有し且つ該頂壁の外縁と該飲み口の一縁との間に設けられるリップを有する飲料用包装容器の製造方法であって、
ウェブ状包装材料を包装充填機内で、チューブ状に成形して縦シールし、該チューブ状包装材料内に飲料内容物を充填して横断方向に横シールし、該横シール部分を切断して内側フィルムで保護された飲み口を頂壁に有する容器に得る包装充填工程、
透明フィルムからなり、該透明フィルムの内側面の凹部に全体的に嵌め込まれた該リップを有する該プルタブを準備する工程及び、
前記包装充填工程で得られた容器の飲み口の上面に前工程で準備したプルタブを配置して、該リップ及びプルタブを容器に接合する工程
を含ことを特徴とする。
【０００６】
請求項２に記載の発明は、プルタブで覆われ且つ内側フィルムで保護された飲み口を頂壁に有し且つ該頂壁の外縁と該飲み口の一縁との間に設けられるリップを有する飲料用包装容器であって、
該包装容器が、ウェブ状包装材料を包装充填機内で、チューブ状に成形して縦シールし、該チューブ状包装材料内に飲料内容物を充填して横断方向に横シールし、該横シール部分を切断して得られ、
該プルタブが、透明フィルムからなり、該透明フィルムの内側面の凹部に全体的に嵌め込まれた該リップを有し、
前記包装容器の飲み口の上面及び近傍に該リップ及びプルタブが接合されている
することを特徴とする。
【０００７】
上記構成を有するこの発明は以下の作用を有する。
本発明において、プルタブで覆われ且つ内側フィルムで保護された飲み口を頂壁に有し且つ該頂壁の外縁と該飲み口の一縁との間に設けられるリップを有する飲料用包装容器が製造される。
ウェブ状包装材料が包装充填機内で、チューブ状に成形され、包装材料の長手方向に縦シールされる。次いで、チューブ状包装材料内にジュース、清涼飲料水などの飲料内容物が充填されて包装材料の横断方向に横シールされる。個々の容器に分離する為に横シール部分が切断され、内側フィルムで保護された飲み口を頂壁に有する容器が得られる。
透明フィルムからなり、この透明フィルムの内側面の凹部に全体的に嵌め込まれたリップを有するプルタブを準備する。このプルタブはその場若しくは前もって調製しておくこともできる。
最後に、包装充填工程で得られた容器の飲み口の上面に、前工程で準備したプルタブを配置して、リップ下面とプルタブ下面を容器に接合する。
以下、本発明の実施の形態について、図１から図３を用いて説明する。
【０００８】
（実施の形態１）
図１は、この発明の一実施の形態である包装容器を示す斜視図である。図１においては、プルタブ５で覆われ且つ内側フィルム（図示せず）で保護された飲み口４を頂壁２に有し且つ頂壁２の外縁と飲み口４の一縁との間に設けられるリップ３を有する飲料用包装容器１である。
【０００９】
この形態において、包装容器が、ウェブ状包装材料を包装充填機内で、チューブ状に成形して縦シールし、チューブ状包装材料内に飲料内容物を充填して横断方向に横シールし、横シール部分を切断して得られる。
プルタブ５は、透明フィルムからなり、透明フィルムの内側面の凹部に全体的に嵌め込まれたリップ３を有し、包装容器１の飲み口４の上面及び近傍に、リップ３及びプルタブ５が接合されている
【００１０】
この実施の形態において、プルタブ５は、プラスチックの透明フイルムからなる。そのフィルムは、種々の目的の為に積層フィルムであってもよい。例えば、無機酸化物蒸着層を有するガスバリア性フイルム、他のプラスチック層との積層体などがある。
【００１１】
図２は、この発明による製造方法の一工程を説明するプルタブの斜視図で有る。この態様の工程では、透明フィルムからなり、透明フィルムの内側面の凹部に全体的に嵌め込まれたリップ３を有するプルタブ５が準備される。
図３は、図２に示すプルタブの部分断面図である。この態様のプルタブ５は、透明フィルム５からなり、透明フィルムの内側面の凹部に全体的に嵌め込まれたリップ３を有する。
【００１２】
上記形態における容器形状の他、この発明における包装容器は、例えば、ブリック状（平行６面体）の他、６角柱状、８角柱状、四面体形状などがある。
【００１３】
【発明の効果】
以上のように本発明によれば、以下の有利な効果が得られる。
包装充填工程上で、包装材料面に突起状物が無いので、工程上で不都合を惹起することない。
飲料容器頂壁にリップを接合することができるので、消費者が直接に口から飲用することができる。
消費者が直接に口に触れるリップを、衛生上、清潔に維持できる。
プルタブとリップとの間隙にゴミなどが入り込むことを防止することができる。
消費者が飲用時にリップの存在を知ることができる。
【図面の簡単な説明】
【図１】本発明の一実施の形態による飲用容器を示す斜視図
【図２】本発明の一実施の形態によるプルタブを示す概念図
【図３】図２に示すプルタブの部分断面図
【図４】従来の容器を示す概念図
【図５】従来の容器を示す斜視図
【符号の説明】
１　・・・容器
３　・・・リップ
４　・・・飲み口
５　・・・プルタブ
【図１】
2004058595.tif 000003
【図２】
2004058595.tif 000004
【図３】
2004058595.tif 000005
【図４】
2004058595.tif 000006
【図５】
2004058595.tif 000007